(57)【要約】近隣セルによる干渉から保護されたリソースによって取得された信号測定値に基づいて、基地局の測定値を決定することを含む方法および装置が提供される。保護リソースは、保護リソースを介して受信された信号測定値における、少なくとも二面的な矛盾を検出することと、保護リソースを示すインジケーションを受信することと、ページング信号を送信するために使用されるものとしてリソースを決定することと、以前のリソース割当からリソースを決定すること等のうちの少なくとも１つに基づいて決定されうる。したがって、デバイスが、アイドル・モード再選択のためセルを測定している場合、このような保護リソースの測定値は、基地局から受信された信号の特性のより正確な測定値を提供しうる。
2013544459.tif 000002
【特許請求の範囲】
【請求項１】
無線通信の方法であって、
基地局に関連するリソースのセットから、保護されたリソースの一部分を決定することと、
少なくとも、前記保護されたリソースの一部分によって、前記基地局から、１または複数の信号の信号測定値を取得することと、
前記信号測定値に基づいて、セル再選択のための、前記基地局の測定値を生成することと、
を備える方法。
【請求項２】
前記信号測定値を取得することは、前記リソースのセットによって、前記基地局から、前記１または複数の信号の信号測定値を取得することをさらに備え、
前記保護されたリソースの一部分を決定することは、前記リソースのセットによる前記信号測定値に部分的に基づく、請求項１に記載の方法。
【請求項３】
前記保護されたリソースの一部分を決定することは、しきい信号品質を超えるリソースのセットによる前記信号測定値の一部に対応する、前記保護されたリソースの一部分を決定することを備える、請求項２に記載の方法。
【請求項４】
前記基地局のその後の測定値を生成する際に、前記保護されたリソースの一部分を利用することをさらに備える、請求項２に記載の方法。
【請求項５】
前記保護されたリソースの一部分を決定することは、前記保護されたリソースの一部分を示すインジケーションを、前記基地局から受信することを含む、請求項１に記載の方法。
【請求項６】
少なくとも、前記保護されたリソースの一部分によって前記信号測定値を取得することは、前記保護されたリソースの一部分を決定することに部分的に基づく、請求項１に記載の方法。
【請求項７】
少なくとも、前記保護されたリソースの一部分によって前記信号測定値を取得することはさらに、制限された関連付けを実施するフェムト・ノードが、前記基地局よりも高い信号品質を有していると判定することに部分的に基づく、請求項６に記載の方法。
【請求項８】
少なくとも、前記保護されたリソースの一部分によって前記信号測定値を取得することはさらに、前記基地局の信号品質が低下していることを、１または複数の以前の信号測定値に部分的に基づいて判定することに部分的に基づく、請求項７に記載の方法。
【請求項９】
前記保護されたリソースの一部分を決定することは、ページング信号を送信するために、前記基地局によって利用されたものとして、前記保護されたリソースの一部分を決定することを備える、請求項１に記載の方法。
【請求項１０】
前記保護されたリソースの一部分を決定することは、前記基地局からの、以前のリソース割当に基づいて、前記保護されたリソースの一部分を決定することを備える、請求項１に記載の方法。
【請求項１１】
基地局信号を測定するための装置であって、
基地局に関連するリソースのセットから、保護されたリソースの一部分を決定し、
少なくとも、前記保護されたリソースの一部分によって、前記基地局から、１または複数の信号の信号測定値を取得し、
前記信号測定値に基づいて、セル再選択のための、前記基地局の測定値を生成する
ように構成された少なくとも１つのプロセッサと、
前記少なくとも１つのプロセッサに接続されたメモリと
を備える装置。
【請求項１２】
前記少なくとも１つのプロセッサは、前記リソースのセットによって、前記基地局から、前記１または複数の信号の信号測定値を取得し、
前記少なくとも１つのプロセッサは、前記リソースのセットによる、前記信号測定値に部分的に基づいて、前記保護されたリソースの一部分を決定する、
請求項１１に記載の装置。
【請求項１３】
前記少なくとも１つのプロセッサは、しきい信号品質を超えるリソースのセットによる前記信号測定値の一部に対応するものとして、前記保護されたリソースの一部分を決定する、請求項１２に記載の装置。
【請求項１４】
前記少なくとも１つのプロセッサはさらに、前記基地局のその後の測定値を生成する際に、前記保護されたリソースの一部分を利用するように構成された、請求項１２に記載の装置。
【請求項１５】
前記少なくとも１つのプロセッサは、前記保護されたリソースの一部分を示すインジケーションを、前記基地局から受信することに少なくとも部分的に基づいて、前記保護されたリソースの一部分を決定する、請求項１１に記載の装置。
【請求項１６】
基地局信号を測定するための装置であって、
基地局に関連するリソースのセットから、保護されたリソースの一部分を決定する手段と、
少なくとも、前記保護されたリソースの一部分によって、前記基地局から、１または複数の信号の信号測定値を取得する手段と、
前記信号測定値に基づいて、セル再選択のための、前記基地局の測定値を生成する手段と、
を備える装置。
【請求項１７】
前記取得する手段は、前記リソースのセットによって、前記基地局から、前記１または複数の信号の信号測定値を取得し、
前記決定する手段は、前記リソースのセットによる、前記信号測定値に部分的に基づいて、前記保護されたリソースの一部分を決定する、
請求項１６に記載の装置。
【請求項１８】
前記決定する手段は、しきい信号品質を超えるリソースのセットによる前記信号測定値の一部に対応するリソースとして、前記保護されたリソースの一部分を決定する、請求項１７に記載の装置。
【請求項１９】
前記決定する手段は、前記基地局からのその後の信号を測定するために、前記保護されたリソースの一部分を、前記信号測定値を取得する手段に指示する、請求項１７に記載の装置。
【請求項２０】
前記決定する手段は、前記保護されたリソースの一部分を示すインジケーションを、前記基地局から受信する、請求項１６に記載の装置。
【請求項２１】
１または複数の基地局からの信号を測定するためのコンピュータ・プログラム製品であって、
少なくとも１つのコンピュータに対して、基地局に関連するリソースのセットから、保護されたリソースの一部分を決定させるためのコードと、
前記少なくとも１つのコンピュータに対して、少なくとも、前記保護されたリソースの一部分によって、前記基地局から、１または複数の信号の信号測定値を取得させるためのコードと、
前記少なくとも１つのコンピュータに対して、前記信号測定値に基づいて、セル再選択のための、前記基地局の測定値を生成させるためのコードと、
を備えるコンピュータ読取可能な媒体を備える、
コンピュータ・プログラム製品。
【請求項２２】
前記少なくとも１つのコンピュータに対して取得させるためのコードは、前記リソースのセットによって、前記基地局から、前記１または複数の信号の信号測定値を取得し、
前記少なくとも１つのコンピュータに対して決定させるためのコードは、前記リソースのセットによる、前記信号測定値に部分的に基づいて、前記保護されたリソースの一部分を決定する、
請求項２１に記載のコンピュータ・プログラム製品。
【請求項２３】
前記少なくとも１つのコンピュータに対して決定させるためのコードは、しきい信号品質を超えるリソースのセットによる前記信号測定値の一部に対応するリソースとして、前記保護されたリソースの一部分を決定する、請求項２２に記載のコンピュータ・プログラム製品。
【請求項２４】
前記コンピュータ読取可能な媒体はさらに、前記少なくとも１つのコンピュータに対して、前記基地局のその後の測定値を生成する際に、前記保護されたリソースの一部分を利用させるためのコードを備える、請求項２２に記載のコンピュータ・プログラム製品。
【請求項２５】
前記少なくとも１つのコンピュータに対して決定させるためのコードは、前記保護されたリソースの一部分を示すインジケーションを、前記基地局から受信することに少なくとも部分的に基づいて、前記保護されたリソースの一部分を決定する、請求項２１に記載のコンピュータ・プログラム製品。
【請求項２６】
基地局信号を測定するための装置であって、
基地局に関連するリソースのセットから、保護されたリソースの一部分を決定するための保護リソース決定構成要素と、
少なくとも、前記保護されたリソースの一部分によって、前記基地局から、１または複数の信号の信号測定値を取得するためのリソース測定構成要素と、
前記信号測定値に基づいて、セル再選択のための、前記基地局の測定値を生成するための測定値生成構成要素と、
を備える装置。
【請求項２７】
前記リソース測定構成要素は、前記リソースのセットによって、前記基地局から、前記１または複数の信号の信号測定値を取得し、
前記保護リソース決定構成要素は、前記リソースのセットによる、前記信号測定値に部分的に基づいて、前記保護されたリソースの一部分を決定する、
請求項２６に記載の装置。
【請求項２８】
前記保護リソース決定構成要素は、しきい信号品質を超えるリソースのセットによる前記信号測定値の一部に対応するリソースとして、前記保護されたリソースの一部分を決定する、請求項２７に記載の装置。
【請求項２９】
前記保護リソース決定構成要素は、前記基地局からのその後の信号を測定するために、前記保護されたリソースの一部分を前記リソース測定構成要素に指示する、請求項２７に記載の装置。
【請求項３０】
前記保護リソース決定構成要素は、前記保護されたリソースの一部分を示すインジケーションを、前記基地局から受信する、請求項２６に記載の装置。
【請求項３１】
前記リソース測定構成要素は、前記保護されたリソースの一部分を決定することに部分的に基づいて、前記保護されたリソースのうちの少なくとも一部分によって、前記信号測定値を取得する、請求項２６に記載の装置。
【請求項３２】
前記リソース測定構成要素は、さらに、制限された関連付けを実施するフェムト・ノードが、前記基地局よりも高い信号品質を有していると判定することに部分的に基づいて、前記保護されたリソースのうちの少なくとも一部分によって、前記信号測定値を取得する、請求項３１に記載の装置。
【請求項３３】
前記リソース測定構成要素は、さらに、１または複数の以前の信号測定値に部分的に基づいて、前記基地局の信号品質が低下していると判定することに部分的に基づいて、前記保護されたリソースのうちの少なくとも一部分によって、前記信号測定値を取得する、請求項３２に記載の装置。
【請求項３４】
前記保護リソース決定構成要素は、ページング信号を送信するために、前記基地局によって利用されたものとして、前記保護されたリソースの一部分を決定する、請求項２６に記載の装置。
【請求項３５】
前記保護リソース決定構成要素は、前記基地局からの、以前のリソース割当に基づいて、前記保護されたリソースの一部分を決定する、請求項２６に記載の装置。
【発明の詳細な説明】
【優先権主張】
【０００１】
本特許出願は、「時間領域選択性干渉を用いてセルをランク付けすること」（RANKING CELLS WITH TIME-DOMAIN SELECTIVE INTERFERENCE）と題された２０１０年１０月８日出願の米国特許仮出願６１／３９１，４４３号に対する優先権を主張する。この仮出願は、本明細書の譲受人に譲渡され、本明細書に参照によって明確に組み込まれている。
【技術分野】
【０００２】
以下の記載は、一般に、無線ネットワーク通信に関し、さらに詳しくは、ハンドオーバのためのセルを測定することに関する。
【背景技術】
【０００３】
無線通信システムは、例えば、音声、データ等のようなさまざまなタイプの通信コンテンツを提供するために広く開発された。一般的な無線通信システムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム等を含む。さらに、これらシステムは、例えば第３世代パートナシップ計画（３ＧＰＰ）（例えば、３ＧＰＰ  ＬＴＥ（ロング・ターム・イボリューション）／ＬＴＥアドバンスト）、ウルトラ・モバイル・ブロードバンド（ＵＭＢ）、イボリューション・データ・オプティマイズド（ＥＶ−ＤＯ）等のような仕様に準拠しうる。
【０００４】
一般に、無線多元接続通信システムは、複数のモバイル・デバイスのための通信を同時にサポートしうる。モバイル・デバイスはおのおのの、順方向リンクおよび逆方向リンクによる送信を介して１または複数の基地局と通信しうる。順方向リンク（すなわち、ダウンリンク）は、基地局からモバイル・デバイスへの通信リンクを称し、逆方向リンク（すなわち、アップリンク）は、モバイル・デバイスから基地局への通信リンクを称する。さらに、モバイル・デバイスと基地局との間の通信は、単一入力単一出力（ＳＩＳＯ）システム、複数入力単一出力（ＭＩＳＯ）システム、複数入力複数出力（ＭＩＭＯ）システム等によって確立されうる。
【０００５】
従来の基地局を補足するために、よりロバストな無線有効通信範囲をモバイル・デバイスに提供するために、制限された追加の基地局が配置されうる。例えば、無線中継局および低電力基地局（例えば、ホーム・ノードＢまたはホームｅＮＢと一般に称され、集合的に、Ｈ（ｅ）ＮＢ、フェムト・ノード、ピコ・ノード等と称される）は、漸進的な容量成長、より豊富なユーザ経験、ビルディング内またはその他特有の地理的有効通信範囲等のために展開されうる。いくつかの構成では、このような低電力基地局は、モバイル・オペレータのネットワークへバックホール・リンクを提供しうるブロードバンド接続（例えば、デジタル加入者ライン（ＤＳＬ）ルータ、ケーブル、またはその他のモデム等）を介してインターネットへ接続されうる。したがって、例えば、ブロードバンド接続を介して１または複数のデバイスへモバイル・ネットワーク・アクセスを提供するために、低電力基地局がユーザ住宅内に配置されうる。
【０００６】
例えば、低電力基地局は、マクロセル基地局有効通信範囲領域内に配置されうる。この結果、例えば、通信中のデバイスへの干渉、通信中のデバイスからの低電力基地局およびマクロセル基地局への干渉のような複数レベルの干渉となりうる。ここで、これら基地局は、類似および／または隣接した周波数スペクトルにおいて動作する。例えば、エンハンスト・セル間干渉調整（ｅＩＣＩＣ）のようなリソース分割スキームが実施され、低電力基地局およびマクロセル基地局は、このような干渉を回避するために、送信（および／または受信）ラジオ・リソースをネゴシエートできるようになる。これらのスキームでは、低電力基地局は、マクロセル基地局がデバイスをスケジュールするために使用する期間とは異なる期間に、デバイス通信をスケジュールしうる。しかしながら、再選択のためのセルを測定するアイドル・モードのデバイスの場合、基地局は、どのリソースをデバイスが測定するかに関する制御を有さない場合がありうる。
【０００７】
これは、不正確なセル測定に至りうる。
【発明の概要】
【０００８】
以下は、１または複数の態様の基本的な理解を与えるために、このような態様の簡略化された概要を示す。この概要は、考えられるすべての態様の広範囲な概観ではなく、すべての態様の重要要素や決定的要素を特定することも、何れかまたは全ての態様のスコープを線引きすることも意図されていない。その唯一の目的は、後に示されるより詳細な記載に対する前置きとして、簡略化された形式で１または複数の態様のいくつかの概念を表すことである。
【０００９】
１または複数の態様および対応するこれらの開示によれば、本開示は、セルの測定値を生成するために、セルの測定を選択することに関連するさまざまな態様を記載する。一例では、セルにおいて信号が送信されるいくつかのリソースは、別のセルからの信号によって干渉されうる。このようなリソースによって測定が実行される場合、これら測定は、無視されるか、または、低減されうる。なぜなら、干渉を受けた測定は、セル内で通信している場合に受けた信号特性を正確に示すインジケーションではないかもしれないからである。別の例では、干渉を受けたリソースは、測定を実行する前に取得され、干渉を受けたリソースによる測定が回避されうる。何れの場合も、セル測定値は、アイドル・モード再選択のためのセルの評価を改善するために、実質的な干渉の無いリソースによって実行された測定から決定されうる。
【００１０】
例によれば、基地局に関連するリソースのセットから、保護されたリソースの一部分を決定することと、少なくとも、保護されたリソースの一部分によって、基地局から、１または複数の信号の信号測定値を取得することと、を含む無線通信の方法が提供される。この方法はさらに、信号測定に基づいて、セル再選択のための、基地局の測定値を生成することを含む。
【００１１】
別の態様では、基地局信号を測定するための装置が提供される。この装置は、基地局に関連するリソースのセットから、保護されたリソースの一部分を決定するように構成された少なくとも１つのプロセッサを含む。この少なくとも１つのプロセッサはさらに、位置の変化に少なくとも部分的に基づいて、信号を測定するための測定タイプを選択するように構成される。この装置はさらに、少なくとも１つのプロセッサに接続されたメモリを含む。
【００１２】
また別の態様では、１または複数の近隣セルからの信号を測定することを決定する手段と、以前の測定からの位置の変化を判定する手段とを含む、無線通信における近隣セルを測定するための装置が提供される。この装置はさらに、位置の変化に少なくとも部分的に基づいて、信号を測定するための測定タイプを選択する手段を含む。
【００１３】
さらに別の態様では、少なくとも１つのコンピュータに対して、１または複数の近隣セルからの信号を測定させるためのコードと、少なくとも１つのコンピュータに対して、以前の測定からの位置の変化を判定させるためのコードとを有するコンピュータ読取可能な媒体を含む、無線通信における近隣セルを測定するためのコンピュータ・プログラム製品が提供される。このコンピュータ読取可能な媒体はさらに、少なくとも１つのコンピュータに対して、位置の変化に少なくとも部分的に基づいて、信号を測定するための測定タイプを選択させるためのコードを含む。
【００１４】
さらに、態様では、１または複数の近隣セルからの信号を測定することを決定するための信号測定構成要素と、以前の測定からの位置の変化を判定するための位置変化判定構成要素とを含む、無線通信における近隣セルを測定する装置が提供される。この装置はさらに、位置の変化に少なくとも部分的に基づいて、信号を測定するための測定タイプを選択するための測定タイプ選択構成要素を含む。
【００１５】
前述した目的および関連する目的を達成するために、１または複数の実施形態は、後に十分に記載され、特許請求の範囲において特に指摘されている特徴を備える。以下の記載および添付図面は、１または複数の態様のある例示的な特徴を詳細に記載する。しかしながら、これらの特徴は、さまざまな態様の原理が適用されるさまざまな方式のうちの極く一部しか示しておらず、本説明は、このような態様およびこれらの均等物の全てを含むことが意図されている。
【図面の簡単な説明】
【００１６】
開示された態様は、以下において、同一符号が同一要素を示す添付図面と連携して説明され、開示された態様を、限定することなく、例示するために提供される。
【図１】図１は、セル再選択のための基地局を測定するためのシステムの態様のブロック図である。
【図２】図２は、保護されたリソースのセットを測定することに基づいて、基地局のための測定値を生成するためのシステムの態様のブロック図である。
【図３】図３は、時間領域におけるリソースのセットによる信号測定の例の例示である。
【図４】図４は、基地局のための測定値を生成するための方法の態様のフロー・チャートである。
【図５】図５は、複数の決定にしたがって、基地局の信号を測定するための方法の態様のフロー・チャートである。
【図６】図６は、本明細書に記載された態様にしたがうシステムのブロック図である。
【図７】図７は、基地局のための測定値を生成するシステムの態様のブロック図である。
【図８】図８は、本明細書に記載されたさまざまな態様にしたがう無線通信システムの態様のブロック図である。
【図９】図９は、本明細書に記載されたさまざまなシステムおよび方法と共に適用されうる無線ネットワーク環境の態様の概要ブロック図である。
【図１０】図１０は、多くのデバイスをサポートするように構成され、本明細書に記載された態様が実施される無線通信システムの例を例示する。
【図１１】図１１は、ネットワーク環境内でのフェムト・セルの配置を可能にする典型的な通信システムの例示である。
【図１２】図１２は、定義された、いくつかのトラッキング・エリアを有する有効通信範囲マップの例を例示する。
【発明を実施するための形態】
【００１７】
さまざまな態様が、図面を参照して記載される。以下の記載では、説明の目的のために、１または複数の態様の完全な理解を提供するために、多くの具体的な詳細が述べられる。しかしながら、このような態様は、これら具体的な詳細無しで実現されうることが明確である。
【００１８】
本明細書にさらに記載されていることは、セルのための信号測定結果を生成する際に利用するための測定値を決定するデバイスに関連するさまざまな考慮である。例えば、セルにおいて信号を送信するために基地局によって使用されるいくつかのリソースは、別の基地局から送信された信号によって干渉を受けうる（および／または、逆に、基地局と通信しているデバイスが、他の基地局と通信しているデバイスと干渉しうる）。基地局は、（例えば、アップリンク・リソースおよび／またはダウンリンク・リソースのような）ラジオ・リソースの割当をネゴシエートすることによって互いに干渉する信号を避けるために、例えばエンハンスト・セル間干渉除去（ｅＩＣＩＣ）のようなリソース分割スキームを実施しうる。したがって、セルにおいて通信しているデバイスは、このような保護されたラジオ・リソースを割り当てられ、１または複数の他のセル、他のセルと通信しているデバイス等からの干渉が低減されうる。しかしながら、再選択または最初のセル選択のためのセルを測定する場合、デバイスは、干渉の情報無しで、セル内の信号を盲目的に測定しうる。しかしながら、この測定は、デバイスがセル内で通信している場合に経験しうる干渉を正確に表していない場合がありうる。なぜなら、対応する基地局が、リソース分割を実施するからである。
【００１９】
したがって、一例において、デバイスは、セルのために取得された測定において、少なくとも矛盾を検出しうる。例えば、デバイスは、１または複数の測定値のセットが、高品質しきい値を満足するか、または少なくとも高品質しきい値近傍にある一方、１または複数の測定値からなる少なくとも別のセットが、低品質しきい値を満足するか、または少なくとも低品質しきい値近傍にあると判定しうる。低品質しきい値は、関連するリソースによる実質的な干渉を示すために、高品質しきい値よりも低い信号測定品質に対応しうる。この例において、デバイスは、少なくとも高品質しきい値にある測定値のセットに基づいて、（例えば、アイドル・モード再選択のために）セルのための測定値を計算しうる。低品質しきい値よりも低い測定値の他のセットは、無視されるか、さもなければ、低減されうる。この点に関して、セルのいくつかの測定値は、実質的な干渉を示しうるが、干渉を受けた測定値を除去することによって、測定値が改善されうる。この結果、再選択のためのセルのランキングが高くなる。さらに、デバイスは、高品質測定値が実行されるリソースを決定しうる。そして、セルおよび／またはその他のセルを測定するために、その後の期間において、同様のリソースを利用しうる。なぜなら、その後の期間において、リソース分割の一部として、同じリソースがネゴシエートされるからである。
【００２０】
本願で使用されるように、用語「構成要素」、「モジュール」、「システム」等は、ハードウェア、ファームウェア、ハードウェアとソフトウェアとの組み合わせ、ソフトウェア、あるいは実行中のソフトウェア等のようなコンピュータ関連エンティティを含むことが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されうるか、および／または、２つ以上のコンピュータに分散されうる。さらに、これらの構成要素は、格納されたさまざまなデータ構造を有するさまざまなコンピュータ読取可能な媒体から実行しうる。これら構成要素は、例えば、信号によってローカル・システムや分散システム内の他の構成要素とインタラクトする１つの構成要素からのデータ、および／または、他のシステムを備えた例えばインターネットのようなネットワークを介して他の構成要素とインタラクトする１つの構成要素からのデータのような１または複数のデータのパケットを有する信号にしたがって、ローカル処理および／またはリモート処理によって通信しうる。
【００２１】
さらに、本明細書では、さまざまな態様が、有線端末または無線端末でありうる端末と関連して開示される。端末は、システム、デバイス、加入者ユニット、加入者局、移動局、モバイル、モバイル・デバイス、遠隔局、遠隔端末、アクセス端末、ユーザ端末、端末、通信デバイス、ユーザ・エージェント、ユーザ・デバイス、またはユーザ機器（ＵＥ）等とも称されうる。無線端末は、セルラ電話、衛星電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、タブレット、スマート・ブック、ネットブック、あるいは、無線モデムに接続されたその他の処理デバイス等でありうる。さらに、本明細書では、さまざまな態様が、基地局に関して記載される。基地局は、無線端末との通信のために利用され、アクセス・ポイント、ノードＢ、イボルブド・ノードＢ（ｅＮＢ）、あるいはその他いくつかの用語で称されうる。
【００２２】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを適用する。」という句は、以下の例のうちの何れによっても満足される。ＸはＡを適用する。ＸはＢを適用する、あるいは、ＸはＡとＢとの両方を適用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２３】
本明細書に記述された技術は、例えばＣＤＭＡ、ＴＤＭＡ、ＦＤＭＡ、ＯＦＤＭＡ、ＳＣ−ＦＤＭＡ、およびその他のシステムのようなさまざまな無線通信システムのために使用される。「システム」、「ネットワーク」という用語はしばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）およびＣＤＭＡのその他の変形を含んでいる。さらに、ｃｄｍａ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現しうる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現しうる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。ＵＴＲＡ、Ｅ−ＵＴＲＡ、ＵＭＴＳ、ＬＴＥ／ＬＴＥアドバンスト、およびＧＳＭは、「第３世代パートナシップ計画」（３ＧＰＰ）と命名された団体からの文書に記載されている。さらに、ｃｄｍａ２０００およびＵＭＢは、「第３世代パートナシップ計画２」（３ＧＰＰ２）と命名された団体からの文書に記載されている。さらに、このような無線通信システムは、しばしばペアをなさない無許可のスペクトルを用いるピア・トゥ・ピア（例えば、モバイル・トゥ・モバイル）アド・ホック・ネットワーク・システム、８０２ｘｘ無線ＬＡＮ、Ｂｌｕｅｔｏｏｔｈ（登録商標）、および、その他任意の短距離または長距離の無線通信技術を含みうる。
【００２４】
さまざまな態様または特徴が、多くのデバイス、構成要素、モジュールなどを含むシステムの観点から示されるだろう。さまざまなシステムが、追加のデバイス、構成要素、モジュール等を含むことができるか、および／または、図面に関連して説明されたデバイス、構成要素、モジュール等の必ずしも全てを含んでいる訳ではないことが理解され、認識されるべきである。これらアプローチの組み合わせもまた使用されうる。
【００２５】
図１は、再選択のために、基地局からの信号を測定するシステム１００の例を例示する。システム１００は、無線ネットワークにアクセスするために、基地局１０４によって提供されたセル１０８内の基地局１０４と通信しうるデバイス１０２を含みうる。システム１００はまた、セル１０８内に少なくとも部分的に無線ネットワーク・アクセスを提供する基地局１０６を含んでいる。例えば、デバイス１０２は、ＵＥ、モデム（またはその他のテザー・デバイス）、これらの一部等でありうる。基地局１０４および基地局１０６はおのおの、マクロセル基地局、フェムト・ノード、ピコ・ノード、ミクロ・ノード、または同様の基地局、モバイル基地局、リレー・ノード、（例えば、ピア・トゥ・ピア・モードでデバイス１０２と通信している）ＵＥ、その一部、および／または、同種のものでありうる。一例において、基地局１０６は、マクロセル基地局を含みうる基地局１０４によって提供されるセル１０８内に展開されたフェムト・ノードまたは同様の基地局でありうる。したがって、基地局１０６（および／または、基地局１０８と通信するデバイス）は、基地局１０４および／またはデバイス１０２への干渉を引き起こしうる。この点に関し、例えば、基地局１０４および基地局１０６は、（例えば、バックホール接続１１０によって、）保護されるリソースを調整しうる。この保護リソースによって、基地局は、互いに干渉することなく、個別に通信できうる。例えば、保護リソースの割当は、例えばｅＩＣＩＣのような１または複数のリソース分割スキームを用いてネゴシエートされうる。
【００２６】
例によれば、デバイス１０２は、デバイス１０２が、電力を節電するために、時間のうちの少なくとも一部の間、トランシーバへの電力を低減または除去するアイドル・モードで動作しうる。アイドル・モードでは、例えば、デバイス１０２は、例えば基地局１０４のようなサービス提供基地局からページング信号を受信しうる。これは、デバイス１０２が、無線ネットワークからの信号を受信するアクティブ・モードに切り換わるか否かを指定しうる。このようなページング信号を受信するために、アイドル・モードで動作することは、キャンピングと称されうる。したがって、この例において、デバイス１０２は、基地局１０４にキャンプ・オンしうる。さらに、デバイス１０２は、デバイスがページング信号を受信し続けることができるように、セルまたは関連する基地局間でアイドル・モード再選択を実行し、もって、異なる有効通信範囲領域にわたって移動しながら、ネットワーク接続を維持する。この例において、デバイス１０２は、サービス提供セル１０８における信号１１２のみならず、１または複数の近傍セルからの信号１１４を定期的に測定しうる。例えば、この測定値は、信号対雑音比（ＳＮＲ）、キャリア対干渉および雑音比（ＣＩＮＲ）、受信信号強度インジケータ（ＲＳＳＩ）、基準信号受信電力（ＲＳＲＰ）、基準信号受信品質（ＲＳＲＱ）および／または、類似の測定値を備えうる。
【００２７】
デバイス１０２は、例えば、これら測定値に部分的に基づいて、通信をターゲット基地局へハンドオーバするか否かを決定しうる。例えば、ターゲット基地局に関してレポートされた信号品質が、少なくとも、基地局１０４からのしきい差分である場合、デバイス１０２は、ターゲット基地局またはそのセルへのアイドル・モード再選択を開始しうる。さらに、例において、ある基地局は、非メンバ・デバイスからの通信要求を拒否しながら、メンバ・デバイスがその間で通信できるようにするような、制限された関連付けを実施しうる。この点に関し、デバイス１０２は、基地局が、制限された関連付けを実施し、デバイス１０２が、メンバではないことを判定した場合、デバイス１０２は、再選択のための考慮からこの基地局を省く（したがって、例えば、この基地局を測定しない）か、および／または、その間の通信をハンドオーバすることを回避または失敗しうる。基地局１０６は、例えば、デバイス１０２が非メンバであるという制限された関連付け（例えば、クローズド加入者グループ（ＣＳＧ））を実施するフェムト・ノードでありうる。
【００２８】
この例では、デバイス１０２が基地局１０６に接近し、そこにハンドオーバすることができないので、基地局１０４との通信は、悪影響を受けうる。例えば、デバイス１０２が基地局１０６に接近し続けると、信号１１２の貧弱な品質によって、デバイス１０２は、基地局１０４をサービス提供セルとしてもはや考慮しなくなるまで、基地局１０４からの信号１１２の測定値は、品質が低下しうる。この例において、デバイス１０２は、制限されたサービス状態に入りうる。しかしながら、基地局１０４と基地局１０６とが、リソース分割を用いて、保護リソースの割当をネゴシエートする場合、デバイス１０２が、基地局１０４と通信できるのであれば、基地局１０６からの干渉が、デバイス１０２によって受けられることはないかもしれない。なぜなら、基地局１０４は、このような干渉を回避または少なくとも低減するために、保護リソースをデバイス１０２へ割り当てうるからである。したがって、基地局１０６によって干渉を受けるリソースによる、基地局１０４からの信号の測定は、基地局１０６における通信品質を正確に表現しない場合がありうる。
【００２９】
したがって、デバイス１０２は、受信した測定値の一部を利用することを決定しうるか、および／または、基地局１０４の測定値を決定するために、リソースの一部によって信号１１２を測定することを決定しうる。一例では、デバイス１０２は、リソースのセットによって受信された信号１１２の測定値の一部が、１または複数の基地局によって干渉を受ける一方、別の一部は実質的に干渉を受けていないことを検出しうる。リソースのセットによる、基地局１０４からの信号の測定値が、高品質しきい値近傍、または高品質しきい値を超えているある測定値を含む一方、低品質しきい値近傍、または低品質しきい値未満であるその他の測定値を含む場合、これは、低品質しきい値近傍、または低品質しきい値未満の測定値が干渉を受けていることを示しうる。したがって、デバイス１０２は、低品質しきい値近傍、または低品質しきい値未満の測定値を回避または低減しながら、高品質しきい値近傍、または高品質しきい値を超えている測定値に基づいて、基地局１０４（例えば、および／または、提供されたセル１０８）の測定値を生成しうる。
【００３０】
別の例では、デバイス１０２は、基地局１０４の測定を実行するための、基地局１０６によって干渉を受けていないリソースのセットを示すインジケーションを取得しうる。例えば、リソースのセットを示すインジケーションは、例えば、基地局１０４および／または基地局１０６のような、１または複数のネットワーク構成要素から受信されうる。さらに、例えば、デバイス１０２は、前述したように、リソースのセットが、高品質であると判定された基地局１０４の、以前の測定のリソースに類似していると判定しうる。他の例において、デバイス１０２は、基地局１０４またはその他の基地局からページング信号が受信されるリソース、基地局１０４またはその他の基地局からの以前のリソース割当からのリソース等に少なくとも部分的に基づいて、リソースのセットを決定しうる。何れの場合であれ、デバイス１０２は、基地局１０６からの干渉を被らないリソースによる測定に基づいて、セル再選択またはその他の目的のために、基地局１０４によって送信された信号の測定値を計算しうる。これは、再選択のための基地局１０４のランクを上げうる。デバイス１０２が、制限されたサービス状態において動作できるように基地局１０４に十分に接近する場合である上述した例では、基地局１０４のための測定値が上げられることによって、この状況が回避されうる。
【００３１】
図２は、再選択のためにセルを測定するシステム２００の例を例示する。システム２００は、デバイス２０２を備える。デバイス２０２は、無線ネットワークへアクセスするために、１または複数の基地局と通信しうる。さらに、システム２００は、マクロセル基地局２０４とフェムト・ノード２０６を含む。これらは、１または複数のデバイスへ、無線ネットワーク・アクセスを提供しうる。デバイス２０２は、再選択のために１または複数の基地局の測定を実行するリソース測定構成要素２０８と、基地局のうちの１または複数において保護リソースを検出しうる保護リソース決定構成要素２１０と、保護リソースによる測定に基づいて、１または複数の基地局から受信した信号の測定値を規定する測定値生成構成要素２１２とを含む。デバイス２０２はまた、オプションとして、受信した信号の特性に部分的に基づいて、１または複数の再選択手順を実行するための再選択構成要素２１４を含みうる。
【００３２】
例によれば、デバイス２０２は、（例えば、マクロセル基地局２０４から明示的に割り当てられたリソースを有することなく、マクロセル基地局２０４からページング信号を受信する）アイドル・モードで、マクロセル基地局２０４へキャンプ・オンされうる。したがって、一例において、マクロセル基地局２０４は、デバイス２０２が通信するサービス提供セルを提供する、サービス提供基地局でありうる。例において、リソース測定構成要素２０８は、近隣の基地局へのアイドル・モード再選択を実行するか否かを決定するために、マクロセル基地局２０４、フェムト・ノード２０６、および／または、その他の近隣の基地局からの信号を測定しうる。
【００３３】
さらに、前述したように、フェムト・ノード２０６は、サービス提供セル内に少なくとも部分的にセルを提供しうる。フェムト・ノード２０６は、セル内のメンバ・デバイスのセットへのアクセスを可能にするＣＧＳを実施しうる。この例では、デバイス２０２は、メンバ・デバイスのセットから除外されている。したがって、デバイス２０２がフェムト・ノード２０６に接近すると、フェムト・ノード２０６は、信号が、デバイス２０２において受信されると、マクロセル基地局２０４と干渉しうる。しかしながら、前述したように、マクロセル基地局２０４およびフェムト・ノード２０６は、保護リソースのセットの割当をネゴシエートし、これによって、フェムト・ノード２０６は、通信することをやめるか、または、少なくとも、送信電力を下げる。したがって、例えばｅＩＣＩＣのようなリソース分割スキームを用いてその割当がネゴシエートされうる保護リソースのセットが、（例えば、時間領域において）干渉から保護される。デバイス２０２は、マクロセル基地局２０４が、例えばフェムト・ノード２０６のような１または複数のその他の基地局とリソース分割を実施するか否かに基づいて、マクロセル基地局２０４からの信号を測定しうる。
【００３４】
一例では、保護リソース決定構成要素２１０は、少なくとも部分的に、マクロセル基地局２０４からの信号を複数の期間にわたって測定することと、この測定値に矛盾があるか否かを判定することとによって、マクロセル基地局２０４が、保護リソースを有しているか否かを推論しうる。例えば、デバイス２０２、マクロセル基地局２０４、およびフェムト・ノード２０６は、時間領域におけるシンボルのセットによって定義された時間／周波数リソースによって通信しうる。ここでは、多くのシンボルが、サブフレームを備え、多くのサブフレームが、フレームを備えるという具合である。この例において、保護リソースは、所与のフレームにおけるシンボルのうちの少なくとも一部に対応しうる。したがって、例えば、保護リソース決定構成要素２１０は、サブフレーム内のシンボルを介したマクロセル基地局２０４からの信号を測定し、いくつかのシンボルを介した信号が、高品質しきい値近傍、高品質しきい値、または高品質しきい値を超える信号品質を有している一方、いくつかの信号が、低品質しきい値近傍、低品質しきい値、または低品質しきい値未満の信号品質を有していると判定しうる。高品質しきい値に関連する信号品質を有するシンボルは、リソース分割においてマクロセル基地局２０４によって使用されるシンボルに対応しうる。そして、低信号品質に関連するシンボルは、例えばフェムト・ノード２０６のように、リソース分割において、他の基地局によって使用されるシンボルに対応しうる。
【００３５】
これらシンボルは、直交周波数分割多重（ＯＦＤＭ）、時分割多重（ＴＤＭ）、および／または類似のシンボルに対応し、信号測定値は、ＳＮＲ、ＣＩＮＲ、ＲＳＳＩ、ＲＳＲＰ、ＲＳＲＱ、または類似の測定値であり得ることが認識されるべきである。さらに、保護リソース決定構成要素２１０は、例えばマクロセル基地局２０４のような基地局またはネットワーク構成要素からの高品質しきい値および／または低品質しきい値、ハードコーディング、コンフィギュレーション等を受信しうる。保護リソース決定構成要素２１０は、さらに、または、その代わりに、マクロセル基地局２０４および／またはその他の基地局の測定値または以前の測定値に部分的に基づいて、これらしきい値を決定しうる。例えば、保護リソース決定構成要素２１０は、マクロセル基地局２０４の測定値が、（例えば、受信、設定、またはそうでなければ、以前の差分に基づいて決定されうる）しきい値差分外であるか否かを判定しうる。一例では、この差分は、例えば、多くの標準偏差のような測定値にわたる１または複数の統計基準に基づきうる。
【００３６】
例えば、保護リソース決定構成要素２１０は、第１および第２の測定値を（例えば、第１および第２のシンボルを介して）受信すると、これら測定値がしきい値差分に類似しているか、または、しきい値差分外にあるかを判定し、この判定に基づいて、測定値を（例えば、測定値が類似している類似グループへ、または、測定値がしきい値差分外にある別グループへ）グループ化しうる。次の測定値が与えられると、保護リソース決定構成要素２１０は、同様に、次の測定値を、第１および／または第２の測定値と比較して、次の測定値が、第１および／または第２の測定値に類似しているか否かを判定しうる。例えば、第１および第２の測定値が、異なる品質からなると判定された場合、保護リソース決定構成要素２１０は、次の測定値が第１の測定値に近いか、または、第２の測定値に近いかに基づいて、次の測定値のためのグループを選択しうる。保護リソース決定構成要素２１０は、所与の期間（例えば、サブフレーム）において受信された測定値に対してこのような比較を続け、測定値における矛盾を検出する。
【００３７】
一例において、保護リソース決定構成要素２１０は、例えば、異なる測定結果のタイミング・パターンのような追加の要因に少なくとも部分的に基づいて、マクロセル基地局２０４が保護リソースを有していると推論しうる。この例において、保護リソース決定構成要素２１０は、前述したように、さまざまなシンボルに関する測定値が、第１のグループの測定値に近いか、第２のグループの測定値に近いかを判定し、これにしたがって、測定値を各グループに割り当てる。期間にわたる測定値におけるこのような矛盾は、マクロセル基地局２０４が、保護リソースを利用していることを示しうる。したがって、保護リソース決定構成要素２１０は、タイミング・パターンにおける高品質測定値と低品質測定値からなる反復パターンを検出しうる。
【００３８】
保護リソース決定構成要素２１０は、保護リソース、および／または、そこで実行された測定値を、測定値生成構成要素２１２へ指示しうる。測定値生成構成要素２１２は、保護リソースにおける測定値に基づいて、マクロセル基地局２０４の測定値を計算しうる。例えば、測定値は、複数の測定値の平均等でありうるので、非保護リソースにおける測定値（例えば、低い信号品質を有すると判定されたリソースによる測定値）を除外しうる。例では、再選択構成要素２１４は、マクロセル基地局２０４（例えば、および／またはその他の基地局）のための測定値に少なくとも部分的に基づいて、別の基地局へのアイドル・モード再選択を実行するか否かを判定し、および／または、このような再選択を実行しうる。
【００３９】
さらに、例えば、保護リソース決定構成要素２１０が、（例えば、信号品質を測定し、リソースを推定し、このリソースを示すインジケーションを受信すること等によって）保護リソースを決定すると、リソース測定構成要素２０８は、その後の期間（例えば、サブフレーム）において推論された保護リソース位置にわたって、マクロセル基地局２０４（例えば、および／または、１または複数のその他の基地局）のその後のリソース測定を実行しうる。
【００４０】
別の例では、保護リソース決定構成要素２１０は、ページング信号がマクロセル基地局２０４から受信されるシンボルを決定し、このようなシンボルを、保護されたものとして判定しうる。この例において、マクロセル基地局２０４は、フェムト・ノード２０６またはその他の基地局からの干渉を緩和するために、保護リソースによって、アイドル・モード・デバイスのためのページング信号を送信しうる。
【００４１】
また別の例では、保護リソース決定構成要素２１０は、マクロセル基地局２０４との以前の通信に基づいて、これらシンボルを決定しうる。例えば、デバイス２０２は、マクロセル基地局２０４または別の基地局と、既にアクティブ・モードで通信しており、そこから、保護リソースの割当を受信している。この例において、保護リソース決定構成要素２１０は、アイドル・モード再選択の目的のために、１または複数のサブフレーム内の以前のリソース割当に関連するシンボル期間において、マクロセル基地局２０４からの信号を測定することを決定しうる。
【００４２】
さらに、保護リソース決定構成要素２１０は、１または複数のトリガ基準に少なくとも部分的に基づいて、マクロセル基地局２０４において保護リソースを検出することを決定しうる。例えば、保護リソース決定構成要素２１０は、マクロセル基地局２０４の信号品質が、トリガ基準とともに低下していると判定しうる（例えば、以前の測定値を比較することに基づいて、測定値がしきい値未満であること等を判定する）。さらに、保護リソース決定構成要素２１０は、マクロセル基地局２０４が、前述したように、追加のまたは代わりのトリガ基準として、リソース分割を利用していると判定しうる。その他の例では、マクロセル基地局２０４がリソース分割を使用しているとの判定は、１または複数のネットワーク構成要素からの明示的なインジケーション、設定値等として受信されうる。
【００４３】
さらに、例えば、保護リソース決定構成要素２１０は、強い近隣セル（例えば、フェムト・ノード２０６）が、追加のまたは代わりのトリガ基準としてサービスをデバイス２０２へ提供できないと判定しうる。例えば、これは、フェムト・ノード２０６が、（例えば、ＣＳＧの一部として）制限されたアクセス・モードで動作していると判定することを含みうる。この例において、フェムト・ノード２０６は、制限されたアクセス・モードの識別子（例えば、ＣＳＧ識別子）をブロードキャストし、デバイス２０２は、この識別子を、許可されたフェムト・ノードのリストと比較して、デバイス２０２が、フェムト・ノード２０６にアクセスできるか否かを判定する。さらに、これは、例えば、品質がしきい値レベルを超えていること、セル再選択のためのフェムト・ノード２０６のランキングがマクロセル基地局２０４よりも高いこと等のような、制限されたアクセスを決定することと連携して、フェムト・ノード２０６からの測定信号の１または複数の条件を決定することを含みうる。これによって、この条件は、少なくとも、サービス提供セルとしての信号品質におけるしきい値差分を有するセルからのサービスを受信できない能力に関連するようになる。また別の例では、この強い近隣セルがサービスを提供することができないとの判定は、例えば、クローズド・アクセス・モード・インジケータ、セルおよび／または関連するトラフィックのタイプのインジケータ、一定の加入者が要求されうるデータに関連する加入者識別子、失敗したアクセス試行等のように、この強い近隣セルが無線ネットワークにアクセスするために利用可能ではないことを示すその他の信号パラメータに部分的に基づきうる。例えば、１または複数のトリガ基準が満足された場合、保護リソース決定構成要素２１０は、前述したように、測定をレポートおよび／または実行するための保護リソースを決定しうる。
【００４４】
図３は、リソースの集合に関する測定結果３００の例を示す。一例において、これらリソースは、サブフレーム内の８シンボルに対応し、例えば結果３０２のように、８つの測定結果が示されている。例えば、これらリソースは、保護されたシンボル（例えば、「Ｐ」と印されている）に対応すると判定された測定値と、保護されていないシンボルに対応すると判定された測定値とを含みうる。例えば、保護されていないシンボルの測定値に関連する結果３０２では、デバイスは、３０４に示されるように、基地局からの信号を、低い信号品質で測定しうる。シンボル３０６では、（例えば、ＴＤＭ、ＯＦＤＭ等における次の期間に対応しうる）次のシンボルにおける測定は、保護されたシンボルに関連しうる。なぜなら、デバイスによって実行される測定は、３０８等において示されるように、高い信号品質におけるからである。デバイスは、測定値におけるこのような二面的な矛盾を検出しうる。しかしながら、（例えば、媒体信号品質を検出すること、個別の測定値を決定すること、この測定値を決定するために媒体重みを信号品質に適用することのように、）測定値に関する追加の関数に関連しうるさらなるレベルの矛盾も同様に検出されうることが認識されるべきである。
【００４５】
例えば、このデバイスは、前述したように、シンボルに関するどの測定値が、例えば測定値３０８のような、高品質しきい値における品質、または高品質しきい値近傍の品質を有するかを判定し、これらシンボルを、保護されていると考慮しうる。別の例において、デバイスは、例えば測定値３０８のような信号品質測定値のサブセットが、前述したように、少なくとも、例えば測定値３０４のようなその他の信号品質測定値のサブセットのうちの少なくとも１つからのしきい値差分であるか、その近傍であるかを判定しうる。デバイスは、保護されたシンボルを判定すると、（例えば、測定値の平均、またはその他の組み合わせのような）基地局のための測定値を決定するために、保護されたシンボルに関する測定値を利用しうる。別の例では、デバイスは、（例えば、基地局またはその他の基地局のために）その後のサブフレームにおける測定のための、保護されたシンボルを決定するために、これら測定値を利用しうる。図示された例では、サブフレーム内の８つの対応するシンボルのために示された８つの測定値において、シンボル２  ３０６、シンボル４  ３１０、シンボル５  ３１２、シンボル７  ３１４、シンボル８  ３１６は、高い信号品質測定値を有することによって、保護されているものと判定されうる。したがって、デバイスは、基地局のためのその後の測定値を決定するために、サブフレームの残りのシンボルにおける測定を実行することなく、その後のサブフレームにおけるこれらシンボルに関する測定を行いうる。
【００４６】
図４−５は、基地局のための測定値を生成することに関連する方法の例を例示する。説明の単純性の目的のために、これら方法が一連の動作として図示および説明されるが、いくつかの動作は、１または複数の実施形態にしたがって、本明細書に図示および記載されたものとは異なる順序で、および／または、本明細書に図示および記載されたものとは異なる動作と同時に、引き起こりうるので、これら方法が、動作の順序によって制限されないことが理解および認識されるべきである。例えば、方法は代わりに、例えば状態図におけるように、一連の相互関連する状態またはイベントとして表されうることが認識されるべきである。さらに、１または複数の実施形態にしたがって方法を実現するために、必ずしも例示されたすべての動作が必要とされる訳ではない。
【００４７】
図４は、基地局のための測定値を生成するための方法４００の例を示す。４０２において、保護リソースの一部分が、基地局に関連するリソースのセットから決定されうる。例えば、これは、リソースのセットによって受信された測定値（例えば、前述したように、少なくとも、これら測定値における二面的な矛盾を検出すること）に基づいて、リソースのセットから、保護リソースを推論することを含みうる。別の例では、これは、保護リソースを示すインジケーションを受信することと、基地局から受信したリソース割当に基づいて、保護リソースを決定することと、基地局によってページング信号が送信されるリソースが保護リソースであると仮定すること等を含みうる。
【００４８】
４０４では、基地局からの１または複数の信号の信号測定値が、保護リソースの少なくとも一部によって取得されうる。一例において、保護リソースにわたって信号測定値が取得されうる。ここで、保護リソースは、信号測定値を取得する前に決定される。別の例では、信号測定値は、前述されたように、リソースのセットにわたって取得され、保護リソースは、この測定値に基づいて取得されうる。これは、例えば、低品質しきい値近傍の測定値、低品質しきい値における測定値、または低品質しきい値未満の測定値とともに、高品質しきい値近傍の測定値、高品質しきい値における測定値、または、高品質しきい値を超える測定値を検出することのように、測定値における二面的な矛盾を検出することを含みうる。高品質しきい値に関連する測定値は、保護リソースに対応しうる。
【００４９】
４０６では、基地局の測定値が、信号測定値に基づいて、セル再選択のために生成されうる。例えば、この測定値は、信号測定値の平均値またはその他の関数として計算されうる。この測定値は、例えば、セル再選択を実行するか否かを決定する際に利用されうる。したがって、デバイスは、アイドル・モードで通信することができうるが、再選択のためのサービス提供セルを評価するために、保護リソースにわたってサービス提供セルを測定しうる。これによって、デバイスは、保護リソースが割り当てられた場合、サービス提供セルにおける潜在的なラジオ条件を判定できるようになる。
【００５０】
図５は、サービス提供セルのための測定値を生成するための方法５００の例を例示する。５０２において、サービス提供セル信号品質の低下が判定されうる。例えば、これは、サービス提供セルを提供する基地局からの信号を測定することと、この測定値を、以前のその測定値と比較することとに基づきうる。
【００５１】
５０４において、サービス提供セルが、リソース分割を利用することが判定されうる。例えば、これは、リソースのセットにわたって信号を測定し、少なくとも二面的な矛盾を判定することと、このことを示すインジケーションを受信することと、以前に受信したリソース割当に基づいて判定すること等に基づきうる。
【００５２】
５０６において、強い近隣セルにおけるアクセスが利用可能ではないことが判定されうる。例えば、強い近隣セルは、他の近隣セルおよび／またはサービス提供セルと比較して、最も高い信号品質が測定されるセルでありうる。アクセスが利用可能ではないとの判定は、強い近隣セルが、メンバシップが利用可能ではないＣＳＧに関連付けられているとの判定に部分的に基づきうる。前述したように、これは、強い近隣セルによってブロードキャストされたＣＳＧ識別子を、許可されたＣＳＧまたは許可されていないＣＳＧのリストと比較することを含みうる。別の例では、アクセスが利用可能ではないとの判定は、例えば、クローズド・アクセス・モード・インジケータ、セルおよび／または関連するトラフィックのタイプのインジケータ、一定の加入者が要求されうるデータに関連する加入者識別子、失敗したアクセス試行等のように、無線ネットワークにアクセスするために強い近隣セルは利用可能ではないことを示すその他の信号パラメータに基づきうる。
【００５３】
５０８において、保護リソースにわたる測定値に基づいて、サービス提供セルのための測定値が生成されうる。前述したように、これは、リソースのセットから保護リソースを決定することと、測定値を生成するために、保護リソースにわたって測定を実行またはそうでない場合には利用することと、を含みうる。したがって、サービス提供セルは、強い近隣セルがサービス提供セルと干渉するリソースを考慮することなく、保護リソースに基づいて評価されうる。
【００５４】
本明細書に記載された１または複数の態様によれば、推論は、前述したように、基地局のための保護リソースを決定することと、保護リソースにおける測定値を用いて、基地局のための測定値を生成するか否かを判定すること等に関してなされうることが認識されるだろう。本明細書で使用されるように、「推論する」または「推論」という用語は、一般に、イベントおよび／またはデータによって取得されたような観察のセットから、システム、環境、および／または、ユーザの状態の推論、あるいはそれらに関連する推理のプロセスを称する。推論は、特定の文脈または動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができうる。このような推論によって、イベントが時間的に近接していようといまいと、これらイベントおよびデータが１またはいくつかのイベント・ソースおよびデータ・ソースに由来していようと、観察されたイベントおよび／または格納されたイベント・データのセットから、新たなイベントまたは動作を構築することができる。
【００５５】
図６は、無線ネットワークにおいて通信しうるモバイル・デバイス６００の例示である。モバイル・デバイス６００は、例えば（図示しない）受信アンテナから信号を受信し、受信した信号について一般的な動作（例えば、フィルタ、増幅、ダウンコンバート等）を実行し、これら調整された信号をデジタル化してサンプルを得る受信機６０２を備えうる。受信機６０２は、受信したシンボルを復調し、それらをチャネル推定のためにプロセッサ６０６へ提供する復調器６０４を備えうる。プロセッサ６０６は、受信機６０２によって受信された情報の分析、および／または、送信機６０８による送信のための情報の生成に特化されたプロセッサであるか、モバイル・デバイス６００の１または複数の構成要素を制御するプロセッサであるか、および／または、受信機６０２によって受信された情報の分析と、送信機６０８による送信のための情報の生成と、モバイル・デバイス６００の１または複数の構成要素の制御との両方を行うプロセッサでありうる。
【００５６】
モバイル・デバイス６００はさらに、プロセッサ６０６と動作可能に結合されたメモリ６１０を備える。このメモリ６１０は、送信されるデータ、受信されたデータ、利用可能なチャネルに関連する情報、分析された信号および／または干渉強度に関連付けられたデータ、割り当てられたチャネルや電力やレート等に関連する情報、および、チャネルの推定やチャネルを介した通信のために適切なその他任意の情報を格納しうる。メモリ６１０はさらに、（例えば、パフォーマンス・ベース、キャパシティ・ベース等で）チャネルを推定すること、および／または、利用すること、基地局の保護リソースを測定すること、および／または、決定すること等に関連付けられたアルゴリズムおよび／またはプロトコルを格納しうる。
【００５７】
本明細書に記載されたデータ・ストア（例えば、メモリ６１０）は、揮発性メモリであるか、あるいは不揮発性メモリである。あるいは、揮発性メモリと不揮発性メモリとの両方を含みうることが認識されるだろう。限定ではなく例示によって、不揮発性メモリは、読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、あるいはフラッシュ・メモリを含みうる。揮発性メモリは、外部キャッシュ・メモリとして動作するランダム・アクセス・メモリ（ＲＡＭ）を含みうる。限定ではなく例示によって、ＲＡＭは、例えばシンクロナスＲＡＭ（ＳＲＡＭ）、ダイナミックＲＡＭ（ＤＲＡＭ）、シンクロナスＤＲＡＭ（ＳＤＲＡＭ）、ダブル・データ・レートＳＤＲＡＭ（ＤＤＲ  ＳＤＲＡＭ）、エンハンストＳＤＲＡＭ（ＥＳＤＲＡＭ）、シンクリンクＤＲＡＭ（ＳＬＤＲＡＭ）、およびダイレクト・ラムバスＲＡＭ（ＤＲＲＡＭ）のような多くの形態で利用可能である。主題となるシステムおよび方法のメモリ６１０は、限定される訳ではないが、これらおよびその他任意の適切なタイプのメモリを備えることが意図される。
【００５８】
プロセッサ６０６はさらに、オプションとして、リソース測定構成要素２０８に類似しうるリソース測定構成要素６１２と、保護リソース決定構成要素２１０に類似しうる保護リソース決定構成要素６１４と、測定値生成構成要素２１２に類似しうる測定値生成構成要素６１６と、および／または、再選択構成要素２１４に類似しうる再選択構成要素６１８とに動作可能に接続されうる。
【００５９】
モバイル・デバイス６００はさらに、送信機６０８による、例えば基地局、他のモバイル・デバイス等への送信のための信号を変調する変調器６２０を備える。さらに、モバイル・デバイス６００は、例えば、説明されているように、複数のネットワーク・インタフェースのための複数の送信機６０８を備えうる。プロセッサ６０６と別に示されているが、復調器６０４、リソース測定構成要素６１２、保護リソース決定構成要素６１４、測定値生成構成要素６１６、再選択構成要素６１８、および／または、変調器６２０は、プロセッサ６０６または複数のプロセッサ（図示せず）の一部であることができるか、および／または、プロセッサ６０６による実行のために、メモリ６１０内に命令群として格納されうることが認識されるべきである。
【００６０】
図７は、基地局のための測定値を生成するシステム７００を例示する。例えば、システム７００は、モバイル・デバイス内に、または、再選択のために基地局を測定するその他のエンティティ内に少なくとも部分的に存在しうる。システム７００は、プロセッサ、ソフトウェア、またはそれらの組み合わせ（例えば、ファームウェア）によって実現される機能を表す機能ブロックでありうる機能ブロックを含むものとして示されることが認識されるべきである。システム７００は、連携して動作しうる電子構成要素の論理グループ７０２を含む。例えば、論理グループ７０２は、基地局に関連するリソースのセットから、保護リソースの一部分を決定するための電子構成要素７０４を含みうる。前述したように、保護リソースの一部分は、リソースのセットにおいて信号を測定すること、保護リソースを示すインジケーションを受信すること、以前のリソース割当等に基づいて決定されうる。
【００６１】
さらに、論理グループ７０２は、保護リソースのうちの少なくとも一部分による、基地局からの１または複数の信号の信号測定値を取得するための電子構成要素７０６を備えうる。これは、保護リソースの一部分を決定するために、保護リソースの一部分による測定を行うこと、および／または、リソースのセットによる測定を行うことを含みうる。論理グループ７０２はまた、信号測定値に基づいて、セル再選択のための基地局の測定値を生成するための電子構成要素７０８を備える。これは、基地局の信号測定値を改善しうる。なぜなら、恐らくは干渉を受けたリソースによる測定が無視されうるからである。例えば、電子構成要素７０４は、前述したように、保護リソース決定構成要素２１０を含みうる。さらに、例えば、電子構成要素７０６は、態様において、前述したようなリソース測定構成要素２０８を含み、および／または、電子構成要素７０８は、測定値生成構成要素２１２を含みうる。
【００６２】
さらに、システム７００は、電子構成要素７０４，７０６，７０８に関連付けられた機能を実行するための命令群を保持するメモリ７１０を含みうる。メモリ７１０の外側にあるとして示されているが、電子構成要素７０４，７０６，７０８のうちの１または複数は、メモリ７１０内に存在しうることが理解されるべきである。一例において、電子構成要素７０４，７０６，７０８は、少なくとも１つのプロセッサを備えうる。または、電子構成要素７０４，７０６，７０８おのおのは、少なくとも１つのプロセッサの対応するモジュールでありうる。さらに、追加または代替の例において、電子構成要素７０４，７０６，７０８は、コンピュータ読取可能な媒体を備えるコンピュータ・プログラム製品でありうる。ここで、おのおのの電子構成要素７０４，７０６，７０８は、対応するコードでありうる。
【００６３】
図８は、本明細書で示されたさまざまな実施形態にしたがう無線通信システム８００を例示する。システム８００は、複数のアンテナ・グループを含みうる基地局８０２を備える。例えば、１つのアンテナ・グループは、アンテナ８０４およびアンテナ８０６を含むことができ、別のグループは、アンテナ８０８およびアンテナ８１０を備えることができ、さらに別のグループは、アンテナ８１２およびアンテナ８１４を含みうる。おのおののアンテナ・グループについて２本のアンテナしか例示されていないが、２本より多いアンテナ、または２本より少ないアンテナも、各グループのために利用されうる。基地局８０２はさらに、送信機チェーンおよび受信機チェーンを含みうる。これらおのおのは、当業者によって理解されるように、信号の送信および受信に関連する複数の構成要素またはモジュール（例えば、プロセッサ、変調器、マルチプレクサ、復調器、デマルチプレクサ、アンテナ等）を備えうる。
【００６４】
基地局８０２は、例えばモバイル・デバイス８１６およびモバイル・デバイス８２２のような１または複数のモバイル・デバイスと通信しうる。しかしながら、基地局８０２は、モバイル・デバイス８１６およびモバイル・デバイス８２２に類似した実質的に任意の数のモバイル・デバイスと通信しうることが認識されるべきである。モバイル・デバイス８１６，８２２は例えば、セルラ電話、スマート・フォン、ラップトップ、ハンドヘルド通信デバイス、ハンドヘルド・コンピュータ・デバイス、衛星ラジオ、全地球測位システム、ＰＤＡ、および／または、無線通信システム８００を介して通信するのに適切なその他任意のデバイスでありうる。図示するように、モバイル・デバイス８１６は、アンテナ８１２およびアンテナ８１４と通信している。ここで、アンテナ８１２およびアンテナ８１４は、順方向リンク８１８によってモバイル・デバイス８１６へ情報を送信し、逆方向リンク８２０によってモバイル・デバイス１１６から情報を受信する。さらに、モバイル・デバイス８２２はアンテナ８０４，８０６と通信している。ここで、アンテナ８０４，８０６は、順方向リンク８２４によってモバイル・デバイス８２２へ情報を送信し、逆方向リンク８２６によってモバイル・デバイス８２２から情報を受信する。周波数分割デュプレクス（ＦＤＤ）システムでは、例えば、順方向リンク８１８は、逆方向リンク８２０によって使用されるものとは異なる周波数帯域を使用し、順方向リンク８２４は、逆方向リンク８２６によって使用されるものとは異なる周波数帯域を使用しうる。さらに、時分割デュプレクス（ＴＤＤ）システムでは、順方向リンク８１８および逆方向リンク８２０は、共通の周波数帯域を使用し、順方向リンク８２４および逆方向リンク８２６は、共通の周波数帯域を使用しうる。
【００６５】
通信するように指定された領域および／またはアンテナのおのおののグループは、基地局８０２のセクタと称されうる。例えば、基地局８０２によってカバーされる領域のセクタ内のアクセス端末に通信するように、複数のアンテナが設計されうる。順方向リンク８１８，８２４による通信では、基地局８０２の送信アンテナは、モバイル・デバイス８１６，８２２の順方向リンク８１８，８２４の信号対雑音比を改善するためにビームフォーミングを利用しうる。また、基地局８０２が、関連付けられた有効通信範囲にランダムに散在したモバイル・デバイス８１６，８２２に送信するためにビームフォーミングを利用している間、近隣セル内のモバイル・デバイスは、すべてのモバイル・デバイスに対して単一のアンテナによって送信している基地局に比べて、少ない干渉しか被らない。さらに、モバイル・デバイス８１６，８２２は、図示するように、ピア・トゥ・ピアまたはアド・ホック技術を用いて互いにダイレクトに通信しうる。例によれば、モバイル・デバイス８１６および／またはモバイル・デバイス８２２は、前述したように、アイドル・モード・セル再選択における信号を測定するために、基地局８０２の保護リソースを決定しうる。
【００６６】
図９は、無線通信システム９００の例を示す。無線通信システム９００は、簡潔化の目的で、１つの基地局９１０と１つのモバイル・デバイス９５０しか示していない。しかしながら、システム９００は、１つより多い基地局、および／または、１つより多いモバイル・デバイスを含むことができ、これら追加の基地局および／またはモバイル・デバイスは、以下に説明する基地局９１０およびモバイル・デバイス９５０の例と実質的に同じものでも、別のものでもありうることが認識されるべきである。それに加えて、基地局９１０および／またはモバイル・デバイス９５０は、本明細書に記載されたシステム（図１，２，７および８）、信号測定の例（図３）、方法（図４−５）、および／または、モバイル・デバイス（図６）を用いて、その間の無線通信を容易にする。例えば、本明細書に記載されたシステムおよび／または方法の構成要素または機能は、以下に記載されたメモリ９３２および／またはメモリ９７２あるいはプロセッサ９３０および／またはプロセッサ９７０の一部となることができ、および／または、開示された機能を実行するために、プロセッサ９３０および／またはプロセッサ９７０によって実行されうる。
【００６７】
基地局９１０では、多くのデータ・ストリームのためのトラフィック・データが、データ・ソース９１２から送信（ＴＸ）データ・プロセッサ９１４へ提供される。例によれば、おのおののデータ・ストリームが、それぞれのアンテナを介して送信される。ＴＸデータ・プロセッサ９１４は、トラフィック・データ・ストリームをフォーマットし、このデータ・ストリームのために選択された特定の符号化スキームに基づいて符号化し、インタリーブして、符号化されたデータを提供する。
【００６８】
おのおののデータ・ストリームの符号化されたデータは、直交周波数分割多重（ＯＦＤＭ）技術を用いてパイロット・データと多重化されうる。さらに、あるいは、この代わりに、パイロット・シンボルは、周波数分割多重（ＦＤＭ）、時分割多重（ＴＤＭ）、あるいは符号分割多重（ＣＤＭ）されうる。パイロット・データは一般に、既知の方法で処理される既知のデータ・パターンであり、チャネル応答を推定するためにモバイル・デバイス９５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供されうる。おのおののデータ・ストリームのデータ・レート、符号化、および変調は、プロセッサ９３０によって実行または提供される命令によって決定されうる。
【００６９】
データ・ストリームの変調シンボルは、（例えば、ＯＦＤＭのために）さらに変調シンボルを処理するＴＸ  ＭＩＭＯプロセッサ９２０に提供される。ＴＸ  ＭＩＭＯプロセッサ９２０はその後、ＮＴ個の変調シンボル・ストリームを、ＮＴ個の送信機（ＴＭＴＲ）９２２ａ乃至９２２ｔへ提供する。さまざまな実施形態において、ＴＸ  ＭＩＭＯプロセッサ９２０は、データ・ストリームのシンボル、および、そのシンボルが送信されるアンテナへ、ビームフォーミング重みを適用する。
【００７０】
おのおのの送信機９２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機９２２ａ乃至９２２ｔからのＮＴ個の変調信号は、ＮＴ個のアンテナ９２４ａ乃至９２４ｔそれぞれから送信される。
【００７１】
モバイル・デバイス９５０では、送信された変調信号が、ＮＲ個のアンテナ９５２ａ乃至９５２ｒによって受信され、おのおののアンテナ９５２から受信した信号が、それぞれの受信機（ＲＣＶＲ）９５４ａ乃至９５４ｒへ提供される。おのおのの受信機９５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００７２】
ＲＸデータ・プロセッサ９６０は、ＮＲ個の受信機９５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ９６０は、検出されたおのおののシンボル・ストリームを復調し、デインタリーブし、復号して、そのデータ・ストリームのためのトラフィック・データを復元する。ＲＸデータ・プロセッサ９６０による処理は、基地局９１０におけるＴＸ  ＭＩＭＯプロセッサ９２０およびＴＸデータ・プロセッサ９１４によって実行されるものと相補的である。
【００７３】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース９３６から受け取るＴＸデータ・プロセッサ９３８によって処理され、変調器９８０によって変調され、送信機９５４ａ乃至９５４ｒによって調整され、基地局９１０へ送り戻される。
【００７４】
基地局９１０では、モバイル・デバイス９５０からの変調信号が、アンテナ９２４によって受信され、受信機９２２によって調整され、復調器９４０によって復調され、ＲＸデータ・プロセッサ９４２によって処理されて、モバイル・デバイス９５０によって送信された逆方向リンク・メッセージが抽出される。さらに、プロセッサ９３０は、ビームフォーミング重みを決定するためにどのプリコーディング行列を使用するかを決定するために、この抽出されたメッセージを処理する。
【００７５】
プロセッサ９３０およびプロセッサ９７０は、基地局９１０およびモバイル・デバイス９５０それぞれにおける動作を指示（例えば、制御、調整、管理等）する。プロセッサ９３０およびプロセッサ９７０はそれぞれ、プログラム・コードおよびデータを格納するメモリ９３２およびメモリ９７２に関連付けられうる。例えば、保護リソースを決定することと、保護リソースによって信号を測定することと、信号測定値に基づいて、基地局のための測定値を生成すること等のように、本明細書に記載された機能および／または構成要素に関連する命令群を、例えば、プロセッサ９３０および／またはプロセッサ９７０が実行し、および／または、メモリ９３２および／またはメモリ９７２が格納しうる。
【００７６】
図１０は、多くのユーザをサポートするように構成され、本明細書に記載された教示が実施される無線通信システム１０００を例示する。このシステム１０００は、例えばマクロセル１００２Ａ−１００２Ｇのような複数のセル１００２のための通信を提供する。ここで、各セルは、対応するアクセス・ノード１００４（例えば、アクセス・ノード１００４Ａ−１００４Ｇ）によってサービス提供される。図１０に示すように、アクセス端末１００６（例えば、アクセス端末１００６Ａ−１００６Ｌ）は、経時的に、システム内のさまざまな位置に分布しうる。アクセス端末１００６はおのおのの、例えば、アクセス端末１００６がアクティブであるか、および、ソフト・ハンドオフにあるかに依存して、所与の時間において、順方向リンク（ＦＬ）および／または逆方向リンク（ＲＬ）で、１または複数のアクセス・ノード１００４と通信しうる。無線通信システム１０００は、広い地理的領域にわたってサービスを提供しうる。
【００７７】
図１１は、１または複数のフェムト・ノードがネットワーク環境内に配置されている典型的な通信システム１１００を例示する。具体的には、システム１１００は、（例えば、１または複数のユーザ住宅１１３０内のような）比較的小規模スケールのネットワーク環境に搭載された複数のフェムト・ノード１１１０Ａ，１１１０Ｂ（例えば、フェムト・ノードまたはＨ（ｅ）ＮＢ）を含む。おのおののフェムト・ノード１１１０は、デジタル加入者ライン（ＤＳＬ）ルータ、ケーブル・モデム、無線リンク、またはその他の接続手段（図示せず）を経由して、広域ネットワーク１１４０（例えば、インターネット）およびモバイル・オペレータ・コア・ネットワーク１１５０に接続されうる。以下に説明するように、おのおののフェムト・ノード１１１０は、関連付けられたアクセス端末１１２０（例えば、アクセス端末１１２０Ａ）と、オプションとして、外部アクセス端末１１２０（例えば、アクセス端末１１２０Ｂ）にサービス提供するように構成されうる。言い換えれば、フェムト・ノード１１１０へのアクセスが制限され、これによって、所与のアクセス端末１１２０が、指定された（例えば、自宅のような）フェムト・ノード（単数または複数）１１１０のセットによってサービス提供されうるが、指定されていないフェムト・ノード１１１０（例えば、近隣のフェムト・ノード）によってサービス提供されない。
【００７８】
図１２は、おのおのがいくつかのマクロ有効通信範囲エリア１２０４を含むいくつかのトラッキング・エリア１２０２（または、ルーティング・エリアあるいはロケーション・エリア）が定義された有効通信範囲マップ１２００の例を示す。ここでは、トラッキング・エリア１２０２Ａ，１２０２Ｂ，１２０２Ｃに関連付けられた有効通信範囲のエリアが、太線で示され、マクロ有効通信範囲エリア１２０４が、六角形によって示されている。トラッキング・エリア１２０２は、フェムト有効通信範囲エリア１２０６をも含んでいる。この例において、フェムト有効通信範囲領域１２０６（例えば、フェムト有効通信範囲領域１２０６Ｃ）のおのおのは、マクロ有効通信範囲領域１２０４（例えば、マクロ有効通信範囲領域１２０４Ｂ）内に図示される。しかしながら、フェムト有効通信範囲エリア１２０６は、マクロ有効通信範囲エリア１２０４内に全体的に位置していなくても良いことが認識されるべきである。実際、フェムト有効通信範囲領域１２０６の大部分は、トラッキング領域１２０２またはマクロ有効通信範囲領域１２０４で定義されうる。さらに、１または複数のピコ有効通信範囲領域（図示せず）は、所与のトラッキング領域１２０２またはマクロ有効通信範囲領域１２０４内で定義されうる。
【００７９】
図１１に再び示すように、フェムト・ノード１１１０の所有者は、モバイル・オペレータ・コア・ネットワーク１１５０を通じて提供された、例えば３Ｇモバイル・サービスのようなモバイル・サービスに申し込みうる。さらに、アクセス端末１１２０は、マクロ環境と、（例えば、住宅のような）小規模なネットワーク環境との両方において、動作可能でありうる。したがって、例えば、アクセス端末１１２０は、アクセス端末１１２０の現在位置に依存して、アクセス・ノード１１６０によって、または、フェムト・ノード１１１０（例えば、対応するユーザ住宅１１３０内に存在するフェムト・ノード１１１０Ａ，１１１０Ｂ）のセットのうちの任意の１つによってサービス提供されうる。例えば、加入者が、自宅外にいる場合、標準的なマクロ・セル・アクセス・ノード（例えば、ノード１１６０）によってサービス提供され、加入者が、自宅内にいる場合、フェムト・ノード（例えば、ノード１１１０Ａ）によってサービス提供される。ここでは、フェムト・ノード１１１０は、既存のアクセス端末１１２０との後方互換性を持ちうることが認識されるべきである。
【００８０】
フェムト・ノード１１１０は、単一の周波数で、代替例では、複数の周波数で展開されうる。特定の構成に依存して、単一の周波数、または、複数の周波数のうちの１または複数が、マクロ・セル・アクセス・ノード（例えば、ノード１１６０）によって使用される１または複数の周波数とオーバラップしうる。いくつかの態様では、アクセス端末１１２０は、（例えば、アクセス端末１１２０のホーム・フェムト・ノードのような）好適なフェムト・ノードとの接続が可能である場合には常に接続するように構成されうる。例えば、アクセス端末１１２０がユーザの自宅１１３０内にある場合は常に、アクセス端末１１２０はホーム・フェムト・ノード１１１０とのみ通信しうる。
【００８１】
いくつかの態様では、アクセス端末１１２０がモバイル・オペレータ・コア・ネットワーク１１５０内で動作するが、（例えば、好適なローミング・リストで定義されたような）最も好適なネットワークに存在しない場合、アクセス端末１１２０は、より良好なシステムが現在利用可能であるかを判定するために、利用可能なシステムの定期的なスキャンと、好適なシステムと関連付けるためのその後の努力とを含むベター・システム再選択（ＢＳＲ： Better System Reselection）を使用して、最も好適なネットワーク（例えば、好適なフェムト・ノード１１１０）を探索し続けうる。１つの例では、アクセス端末１１２０は、（例えば、好適なローミング・リスト内の）獲得テーブル・エントリを用いて、特定の帯域およびチャネルを求める探索を制限しうる。例えば、最も好適なシステムの探索は、定期的に反復されうる。アクセス端末１１２０は、例えばフェムト・ノード１１１０のような好適なフェムト・ノードを発見すると、有効通信範囲エリア内でキャンプするためのフェムト・ノード１１１０を選択する。
【００８２】
フェムト・ノードは、いくつかの態様において、制限されうる。例えば、所与のフェムト・ノードは、あるアクセス端末に対して一定のサービスしか提供しない。いわゆる制限された（すなわち、クローズされた）関連性を持つ構成では、所与のアクセス端末は、マクロ・セル・モバイル・ネットワーク、および、（例えば、対応するユーザの住宅１１３０内に存在するフェムト・セル１１１０のように）定義されたフェムト・ノードのセットによってのみサービス提供されうる。いくつかの実施では、フェムト・ノードは、少なくとも１つのノードのために、シグナリング、データ・アクセス、登録、ページング、またはサービスのうちの少なくとも１つを提供しないように制限されうる。
【００８３】
いくつかの態様では、（クローズド加入者グループＨ（ｅ）ＮＢとも称されうる）制限されたフェムト・ノードは、制限されたアクセス端末のプロビジョンされたセットへ、サービスを提供するノードである。必要な場合、このセットは、一時的または永続的に拡張されうる。いくつかの態様では、クローズド加入者グループ（ＣＳＧ）は、アクセス端末の共通のアクセス制御リストを共有するアクセス・ノード（例えば、フェムト・ノード）のセットとして定義されうる。領域内のすべてのフェムト・ノード（または制限されたすべてのフェムト・ノード）が動作するチャネルは、フェムト・チャネルと称されうる。
【００８４】
所与のフェムト・ノードと、所与のアクセス端末との間に、さまざまな関係が存在しうる。例えば、アクセス端末の観点から、オープンなフェムト・ノードは、制限された関連付けを持たないフェムト・ノードと称されうる。制限されたフェムト・ノードは、（例えば、関連付けおよび／または登録について制限されたような）ある方式で制限されたフェムト・ノードを称しうる。ホーム・フェムト・ノードは、アクセス端末がアクセスし動作することが許可されたフェムト・ノードを称しうる。ゲスト・フェムト・ノードは、アクセス端末がアクセスし動作することを一時的に許可されたフェムト・ノードを称しうる。外部フェムト・ノードは、恐らくは緊急事態（例えば、９１１コール）を除いて、アクセス端末がアクセスまたは動作することを許可されない（例えば、アクセス端末が非メンバである）フェムト・ノードを称しうる。
【００８５】
制限されたフェムト・ノードの観点から、ホーム・アクセス端末は、制限されたフェムト・ノードにアクセスすることが許可されたアクセス端末を称しうる。ゲスト・アクセス端末は、制限されたフェムト・ノードへの一時的なアクセスを持つアクセス端末を称しうる。外部アクセス端末は、恐らくは、例えば９１１コールのような緊急事態を除いて、制限されたフェムト・ノードへアクセスする許可を持たないアクセス端末（例えば、制限されたフェムト・ノードに登録する証明書または許可を持たないアクセス端末）を称しうる。
【００８６】
便宜上、本明細書における開示は、フェムト・ノードの文脈で、さまざまな機能を説明している。しかしながら、大規模な有効通信範囲エリアのために、ピコ・ノードが、フェムト・ノードと同じまたは同様の機能を提供しうることが認識されるべきである。例えば、ピコ・ノードが制限され、所与のアクセス端末のためにホーム・ピコ・ノードが定義される等である。
【００８７】
無線多元接続通信システムは、複数の無線アクセス端末のための通信を同時にサポートしうる。前述したように、おのおのの端末は、順方向リンクおよび逆方向リンクによる送信によって１または複数の基地局と通信しうる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、ＭＩＭＯシステム、あるいは、その他いくつかのタイプのシステムによって確立されうる。
【００８８】
本明細書で開示された実施形態に関連して記述されたさまざまな例示的なロジック、論理ブロック、モジュール、構成要素、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された前述した何れかの組み合わせを用いて実現または実施されうる。汎用プロセッサとしてマイクロ・プロセッサを用いることが可能でありうるが、代わりに、従来技術によるプロセッサ、コントローラ、マイクロ・コントローラ、あるいはステート・マシンを用いることも可能でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。さらに、少なくとも１つのプロセッサは、前述したステップおよび／または動作のうちの１または複数を実行するように動作可能な１または複数のモジュールを備えうる。典型的な記憶媒体は、プロセッサに結合されており、これによって、プロセッサは、記憶媒体との間で情報を読み書きできるようになりうる。あるいは、この記憶媒体は、プロセッサに統合されうる。さらに、いくつかの態様では、プロセッサと記憶媒体とが、ＡＳＩＣ内に存在しうる。さらに、ＡＳＩＣは、ユーザ端末に存在しうる。あるいは、プロセッサおよび記憶媒体は、ユーザ端末内のディスクリートな構成要素として存在しうる。
【００８９】
１または複数の態様では、説明された機能、方法、またはアルゴリズムが、ハードウェア、ソフトウェア、ファームウェア、またはこれらの任意の組み合わせで実現されうる。ソフトウェアで実現される場合、これら機能は、コンピュータ・プログラム製品に組み込まれうるコンピュータ読取可能な媒体上のコード、または、１または複数の命令群として格納または送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる任意の利用可能な媒体でありうる。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。また、実質的に任意の接続が、コンピュータ読取可能な媒体と称されうる。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるｄｉｓｋおよびｄｉｓｃは、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルーレイ・ディスク（ｄｉｓｃ）を含む。通常、ｄｉｓｋは、データを磁気的に再生し、ｄｉｓｃは、レーザを用いて光学的にデータを再生する。前述した組み合わせもまた、コンピュータ読取可能な媒体の範囲内に含まれるべきである。
【００９０】
前述した開示は、例示的な態様および／または実施形態を開示しているが、さまざまな変更および修正が、特許請求の範囲で定義されたような説明された態様および／または実施形態の範囲から逸脱することなくなされうることが注目されるべきである。さらに、記載された態様および／または実施形態の構成要素は、単数形で記載または特許請求されているが、もしも単数であると明示的に述べられていないのであれば、複数が考慮される。さらに、任意の態様および／または実施形態のすべてまたは一部は、特に述べられていないのであれば、その他任意の態様および／または実施形態のすべてまたは一部とともに利用されうる。
【図１】
2013544459.tif 000003
【図２】
2013544459.tif 000004
【図３】
2013544459.tif 000005
【図４】
2013544459.tif 000006
【図５】
2013544459.tif 000007
【図６】
2013544459.tif 000008
【図７】
2013544459.tif 000009
【図８】
2013544459.tif 000010
【図９】
2013544459.tif 000011
【図１０】
2013544459.tif 000012
【図１１】
2013544459.tif 000013
【図１２】
2013544459.tif 000014
【国際調査報告】
2013544459.tif 000015
2013544459.tif 000016
2013544459.tif 000017